(57)【要約】【課題】この発明は、プレイリストに登録するタイトルを選択するプレイリスト編集の作業を容易化し、実用的でユーザにとっての取り扱いを便利にし得るデータ再生装置及びデータ再生方法を提供することを目的としている。【解決手段】マイクロコンピュータブロック１７のメモリに、放送番組の記録予約データとして記憶された複数のタイトルのうち、プレイリストに登録するタイトルを選択するための条件を設定する。また、プレイリストに登録するタイトルの数の上限値を設定する。その後、設定された条件に対応するタイトルを上限値を越えない数だけプレイリストに登録する。【選択図】      図６
2005025834.tif 000002
【特許請求の範囲】
【請求項１】
将来に放送されるタイトル（番組）を記録媒体に記録させる予約データを複数タイトル分記憶する記憶手段を備えた記録予約登録手段と、
この記録予約登録手段によって予約されたタイトルを含む複数のタイトルを管理情報と共に前記記録媒体に記録する記録手段と、
登録されたプレイリストに基づき、前記記録媒体に記録されたタイトルを再生する再生手段と、
前記記憶手段に記憶された予約データに基づき、前記プレイリストに登録するタイトルの候補を設定する候補設定手段と、
前記プレイリスト候補タイトルのうち、候前記記録媒体に記録されたタイトルを特定して当該タイトルを前記プレイリストとして登録するプレイリスト登録手段と、
を具備したことを特徴とするデータ記録再生装置。
【請求項２】
前記登録手段は、タイトルの数の上限値を設定する上限値設定手段を具備し、前記上限値設定手段で設定された上限値に基づいて、プレイリストに登録するタイトルの数を制限することを特徴とする請求項１記載のデータ記録再生装置。
【請求項３】
前記登録手段は、前記タイトルを、放送される時刻の順に前記上限値を越えない数だけ選択して、プレイリストに登録するものであることを特徴とする請求項２記載のデータ記録再生装置。
【請求項４】
前記記録予約手段で予約されたタイトルのうち、プレイリスト再生時に最初に再生されるタイトルを設定するタイトル設定手段を具備し、前記登録手段は、記録予約手段で予約されたタイトルを、前記タイトル設定手段で設定されたタイトルから、放送される時刻の順序で前記上限値を越えない数だけ選択して、前記プレイリストに登録することを特徴とする請求項２記載のデータ記録再生装置。
【請求項５】
前記候補設定手段は、放送の日時を前記プレイリストに登録するタイトルの候補を選択するための条件とするものであることを特徴とする請求項１記載のデータ記録再生装置。
【請求項６】
前記候補設定手段は、放送の曜日を、プレイリストに登録するタイトルの候補を選択するための条件とするものであることを特徴とする請求項１記載のデータ記録再生装置。
【請求項７】
前記候補設定手段は、放送の時刻を、プレイリストに登録するタイトルの候補を選択するための条件とするものであることを特徴とする請求項１記載のデータ記録再生装置。
【請求項８】
前記候補設定手段は、放送のチャンネルを、プレイリストに登録するタイトルの候補を選択するための条件するものであることを特徴とする請求項１記載のデータ記録再生装置。
【請求項９】
前記候補設定手段は、タイトル名を、プレイリストに登録するタイトルの候補を選択するための条件とするものであることを特徴とする請求項１記載のデータ記録再生装置。
【請求項１０】
前記候補設定手段は、タイトル毎にユーザの設定した任意の情報を、プレイリストに登録するタイトルの候補を選択するための条件とするものであることを特徴とする請求項１記載のデータ記録再生装置。
【請求項１１】
将来に放送されるタイトル（番組）を記録媒体に記録すべく記録動作を複数のタイトルに対して予約することが可能な記録予約手段と、
この予約手段によって記録予約されたタイトルを前記記録媒体に記録する記録手段と、
登録されたプレイリストに基づき、前記記録された複数のタイトルを再生する再生手段と、
前記プレイリストに登録するタイトルを選択するための条件を設定する条件設定手段と、
前記記録予約手段で予約されたタイトルの内、前記条件設定手段で設定された条件を満たすタイトルを前記プレイリストに登録する登録手段と、
を具備してなることを特徴とするデータ記録再生装置。
【請求項１２】
将来に放送されるタイトル（番組）を記録媒体に記録させる予約データを複数タイトル分記憶する工程と、
この記憶された予約データに対応するタイトルを含む複数のタイトルを管理情報と共に前記記録媒体に記録する工程と、
前記記憶手段に記憶された予約データに基づき、前記記録媒体に記録されたタイトルを再生するためのプレイリストに登録するタイトルの候補を設定する工程と、
前記プレイリストへの登録候補タイトルのうち前記記録媒体に記録されたタイトルを特定して前記プレイリストに登録する工程と、
を具備したことを特徴とするデータ記録再生方法。
【請求項１３】
プレイリストに登録するタイトルの数の上限値を設定する工程と、
設定された上限値に基づいて、プレイリストに登録するタイトルの数を制限する工程とを有することを特徴とする請求項１２記載のデータ記録再生方法。
【請求項１４】
前記記録媒体に記録されたタイトルの内、前記候補に選択されたタイトルを、放送の順序にしたがって前記上限値を越えない数だけ選択し、プレイリストに登録することを特徴とする請求項１２記載のデータ記録再生方法。
【請求項１５】
前記プレイリスト登録候補として設定されたタイトルのうち、プレイリスト再生時に最初に再生されるタイトルを特定する工程を有し、
前記記録媒体に記録された前記プレイリスト候補タイトルを、前記特定されたタイトルから放送の順序にしたがって前記上限値を越えない数だけ選択して、プレイリストに登録することを特徴とする請求項１２記載のデータ記録再生方法。
【請求項１６】
将来に放送されるタイトル（番組）を記録媒体に記録すべく記録動作を複数のタイトルに対して予約する工程と、
前記記録予約されたタイトルを前記記録媒体に記録する記録手段と、
前記記録された複数のタイトルを再生するためのプレイリストに登録するタイトルの条件を設定する工程と、
前記記録予約手段で予約されたタイトルの内、前記条件を満たすタイトルを前記プレイリストに登録する工程と、
を具備してなることを特徴とするデータ記録再生方法。
【発明の詳細な説明】
【０００１】
【発明の属する技術分野】
この発明は、例えばＤＶＤ（Ｄｉｇｉｔａｌ  Ｖｅｒｓａｔｉｌｅ  Ｄｉｓｋ）等の記録媒体にデータを記録し、記録されたデータを読み取って再生するデータ記録再生装置及びデータ記録再生方法に係り、特にそのプレイリストを生成するための作業を容易化することを可能にしたものに関する。
【０００２】
【従来の技術】
周知のように、首記の如きデータ記録再生装置にあっては、光ディスクに記録されている複数のタイトルのうち、予め設定されたタイトルを所定の順序で自動再生する、いわゆるプレイリスト再生の機能が搭載されている。
このプレイリスト再生を行なう場合には、光ディスクに記録されている複数のタイトルの中から、プレイリストに登録するタイトルを選択するという、プレイリスト編集の作業が必要となる。
このプレイリスト編集の作業には、光ディスクを再生して各タイトルの内容を把握しながら必要なタイトルの選択を行なう手法と、個々のタイトルの管理情報を参照しながら必要なタイトルの選択を行なう手法とがある。
要するに、プレイリスト編集を行なう場合には、光ディスクに記録されているタイトルを再生する作業、または、タイトルの管理情報を参照する作業が必要となっている。
しかしながら、このようなプレイリスト編集の作業では、光ディスクに記録されたタイトルの数が多くなると、必要なタイトルを選択する作業が煩雑になり、ユーザにとって取り扱いが不便なものになるという問題が生じる。
そして、このようにタイトルの選択作業が煩雑になると、選択すべきタイトルを見落として、必要なタイトルがプレイリストに登録されなくなるという不都合も発生する。
このように、プレイリストを生成するには手間の掛かる作業をしなくてはならないため、プレイリストを簡単に生成したいという要望が強くあるが、従来、満足のいく提案がなされていないのが実情である。すなわち、ユーザの要望に沿ったプレイリストを簡単に作成するという観点の提案がなされていない。
【０００３】
例えば、特許文献１として提示した特開２００１−１６７５５９号公報には、記録時刻情報と表示開始時刻情報との差分値を識別情報とするビデオオブジェクトの情報付加方法であって、時間情報の削除による影響を受けずにビデオオブジェクトを特定することができるようにした構成が開示されているが、プレイリストの登録処理の改善に関しては何ら記載されていない。
【０００４】
また、特許文献２として提示した特開２００２−１５０７５０号公報には、記録予約に関する情報と、この情報が有効か無効かを示す情報とに基づいて、予約記録動作を制御するようにした構成が開示され、さらに、特許文献３として提示した特開２００２−８４４９５号公報には、記録媒体に記録されたビデオストリームの元の管理情報を、ユーザが入力した編集情報に基づいて新たな管理情報に変更するようにした構成が開示されているだけであり、これら特許文献２，３においてもプレイリストの登録処理の改善に関しては何ら記載されていない。
【０００５】
【特許文献１】
特開２００１−１６７５５９号公報
【特許文献２】
特開２００２−１５０７５０号公報
【特許文献３】
特開２００２−８４４９５号公報
【０００６】
【発明が解決しようとする課題】
そこで、この発明は上記事情を考慮してなされたもので、将来の放送番組を記録媒体に記録するために前もって予約を行う、いわゆるタイマー予約記録機能を利用して、予約された番組（タイトル）を予め設定された条件の下に自動的に抽出してプレイリストに登録するタイトルの候補として設定するようにしたことで、プレイリスト生成の作業を容易化し、実用的でユーザにとっての取り扱いを便利にし得るデータ記録再生装置及びデータ記録方法を提供することを目的とする。
【０００７】
【課題を解決するための手段】
この発明に係るデータ記録再生装置は、将来に放送されるタイトル（番組）を記録媒体に記録させる予約データを複数タイトル分記憶する記憶手段を備えた記録予約登録手段と、この記録予約登録手段によって予約されたタイトルを含む複数のタイトルを管理情報と共に前記記録媒体に記録する記録手段と、登録されたプレイリストに基づき、前記記録媒体に記録されたタイトルを再生する再生手段と、前記記憶手段に記憶された予約データに基づき、前記プレイリストに登録するタイトルの候補を設定する候補設定手段と、前記プレイリスト候補タイトルのうち、前記記録媒体に記録されたタイトルを特定して当該タイトルを前記プレイリストとして登録するプレイリスト登録手段と、を備えるようにしたものである。
【０００８】
また、この発明に係るデータ記録再生方法は、将来に放送されるタイトル（番組）を記録媒体に記録させる予約データを複数タイトル分記憶する工程と、この記憶された予約データに対応するタイトルを含む複数のタイトルを管理情報と共に前記記録媒体に記録する工程と、前記記憶手段に記憶された予約データに基づき、前記記録媒体に記録されたタイトルを再生するためのプレイリストに登録するタイトルの候補を設定する工程と、前記プレイリストへの登録候補タイトルのうち前記記録媒体に記録されたタイトルを特定して前記プレイリストに登録する工程と、を有するようにしたものである。
【０００９】
上記のような構成及び方法によれば、記録予約データからプレイリストに登録するタイトルの候補を選択し、これらタイトル候補の内、実際に記録媒体に記録されたタイトルを特定し、特定したタイトルをプレイリストに登録するようにしたので、プレイリスト作成作業を容易化し、実用的でユーザにとっての取り扱いを便利にすることが可能となる。
【００１０】
また、この発明に係るデータ記録再生装置は、将来に放送されるタイトル（番組）を記録媒体に記録すべく記録動作を複数のタイトルに対して予約することが可能な記録予約手段と、この予約手段によって記録予約されたタイトルを前記記録媒体に記録する記録手段と、登録されたプレイリストに基づき、前記記録された複数のタイトルを再生する再生手段と、前記プレイリストに登録するタイトルを選択するための条件を設定する条件設定手段と、前記記録予約手段で予約されたタイトルの内、前記条件設定手段で設定された条件を満たすタイトルを前記プレイリストに登録する登録手段と、を備えるようにしたものである。
【００１１】
さらにこの発明に係るデータ記録再生方法は、将来に放送されるタイトル（番組）を記録媒体に記録すべく記録動作を複数のタイトルに対して予約する工程と、前記記録予約されたタイトルを前記記録媒体に記録する工程と、前記記録された複数のタイトルを再生するためのプレイリストに登録するタイトルの条件を設定する工程と、前記記録予約手段で予約されたタイトルの内、前記条件を満たすタイトルを前記プレイリストに登録する工程と、を有するようにしたものである。
【００１２】
上記のような構成及び方法によれば、記録予約データに対してプレイリストに登録するタイトルを選択するための条件を設定し、この条件を満たすタイトルをプレイリストに登録するようにしたので、プレイリスト作成作業を容易化し、実用的でユーザにとっての取り扱いを便利にすることが可能となる。
【００１３】
【発明の実施の形態】
以下、この発明の実施の形態について、図面を参照して詳細に説明する。図１は、この実施の形態で説明するデータ記録再生装置を示している。このデータ記録再生装置は、記録媒体としてＤＶＤ−ＲＡＭ（Ｒａｎｄｏｍ  Ａｃｃｅｓｓ  Ｍｅｍｏｒｙ）とハードディスクとの両方を取り扱うことができるものとしているが、記録媒体としては、例えば半導体メモリ等を用いることも可能である。
【００１４】
すなわち、図１に示すデータ記録再生装置は、大きく分けると、図中左側に記録側の主なブロックが存在し、図中右側に再生側の主なブロックが存在し、図中下部に制御側の主なブロックが存在している。
そして、このデータ記録再生装置は、２種類のディスクドライブ部を有する。
まず、ビデオファイルを構築できる情報記録媒体である第１のメディアとしての光ディスク１１を回転駆動し、情報の読み書きを実行するディスクドライブ部１２を有する。また、このデータ記録再生装置は、第２のメディアとしてのハードディスク１３ａを駆動するハードディスクドライブ部１３を有する。
【００１５】
データプロセッサ部１４は、ディスクドライブ部１２及びハードディスクドライブ部１３に記録データを供給することができ、また、再生された信号を受け取ることができる。ディスクドライブ部１２は、光ディスク１１に対する回転制御系、レーザ駆動系、光学系等を有する。データプロセッサ部１４は、記録または再生単位のデータを取り扱うもので、バッファ回路、変調・復調回路、エラー訂正部等を含んでいる。
【００１６】
また、このデータ記録再生装置は、記録側を構成するエンコーダ部１５と、再生側を構成するデコーダ部１６と、装置本体の動作を制御するマイクロコンピュータブロック１７とを、主たる構成要素としている。
エンコーダ部１５は、入力されたアナログビデオ信号及びアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１７】
エンコーダ部１５の出力は、バッファメモリ１８を含むフォーマッタ１９にて所定のＤＶＤ−ＲＡＭのフォーマットに変換され、先のデータプロセッサ部１４に供給される。
エンコーダ部１５には、Ａ／Ｖ（Ａｕｄｉｏ  Ｖｉｄｅｏ）入力部２０から得られる外部アナログビデオ信号と外部アナログオーディオ信号、または、ＴＶ（Ｔｅｌｅｖｉｓｉｏｎ）チューナ部２１から得られるアナログビデオ信号とアナログオーディオ信号が入力される。
【００１８】
なお、エンコーダ部１５は、圧縮されたデジタルビデオ信号及びデジタルオーディオ信号が直接入力されるときは、この圧縮されたデジタルビデオ信号及びデジタルオーディオ信号を、直接フォーマッタ１９に供給することも可能である。また、エンコーダ部１５は、アナログデジタル変換されたデジタルビデオ信号及びオーディオ信号を、Ｖ（Ｖｉｄｅｏ）ミクシング部２２及びオーディオセレクタ２３に直接供給することもできる。
【００１９】
エンコーダ部１５に含まれるビデオエンコーダでは、デジタルビデオ信号が、ＭＰＥＧ（Ｍｏｖｉｎｇ  Ｐｉｃｔｕｒｅ  Ｅｘｐｅｒｔｓ  Ｇｒｏｕｐ）２またはＭＰＥＧ１規格に基づいた可変ビットレートで圧縮されたデジタルビデオ信号に変換される。デジタルオーディオ信号は、ＭＰＥＧまたはＡＣ（Ａｕｄｉｏ  Ｃｏｍｐｒｅｓｓｉｏｎ）−３規格に基づいて、固定ビットレートで圧縮されたデジタルオーディオ信号、または、リニアＰＣＭ（Ｐｕｌｓｅ  Ｃｏｄｅ  Ｍｏｄｕｌａｔｉｏｎ）のデジタルオーディオ信号に変換される。
【００２０】
副映像信号がＡ／Ｖ入力部２０から入力された場合（例えば副映像信号の独立出力端子付ＤＶＤビデオプレーヤからの信号等）、または、このようなデータ構成のＤＶＤビデオ信号が放送されそれがＴＶチューナ部２１で受信された場合は、ＤＶＤビデオ信号中の副映像信号が副映像エンコーダでエンコード（ランレングス符号化）されて副映像のビットマップとなる。
【００２１】
エンコードされたデジタルビデオ信号、デジタルオーディオ信号、副映像データは、フォーマッタ１９にてパック化され、ビデオパック、オーディオパック、副映像パックとなり、さらに、これらが集合されてＤＶＤ−レコーディング規格［例えばＤＶＤ−ＲＡＭ、ＤＶＤ−Ｒ（Ｒｅｃｏｒｄａｂｌｅ）、ＤＶＤ−ＲＷ（Ｒｅｗｒｉｔａｂｌｅ）等に記録する規格］で規定されたフォーマットに変換される。
【００２２】
ここで、図１のデータ記録再生装置は、フォーマッタ１９でフォーマット化された情報（ビデオ、オーディオ、副映像データ等のパック）及び作成された管理情報を、データプロセッサ部１４を介してハードディスクドライブ部１３またはディスクドライブ部１２に供給し、ハードディスク１３ａまたは光ディスク１１に記録することができる。
【００２３】
また、ハードディスク１３ａまたは光ディスク１１に記録された情報を、データプロセッサ部１４及びディスクドライブ部１２を介して、光ディスク１１またはハードディスク１３ａに記録することもできる。
また、ハードディスク１３ａまたは光ディスク１１に記録されている複数番組のビデオオブジェクトを、一部削除したり、異なる番組のオブジェクトを繋げたり、といった編集処理を行なうこともできる。これは、この実施の形態で説明するフォーマットが、取り扱うデータ単位を定義し、編集を容易にしているからである。
【００２４】
マイクロコンピュータブロック１７は、ＭＰＵ（Ｍｉｃｒｏ  Ｐｒｏｃｅｓｓｉｎｇ  Ｕｎｉｔ）またはＣＰＵ（Ｃｅｎｔｒａｌ  Ｐｒｏｃｅｓｓｉｎｇ  Ｕｎｉｔ）と、制御プログラム等が書き込まれたＲＯＭ（Ｒｅａｄ  Ｏｎｌｙ  Ｍｅｍｏｒｙ）と、プログラム実行に必要なワークエリアを提供するためのＲＡＭとを含んでいる。
【００２５】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Ｕｎｉｖｅｒｓａｌ  Ｄｉｓｋ  Ｆｏｒｍａｔ）記録、ＡＶアドレス設定等を実行する。
【００２６】
また、マイクロコンピュータブロック１７は、システム全体を制御するために必要な情報処理部を有するもので、ワークＲＡＭ、ディレクトリ検知部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００２７】
ＭＰＵの実行結果のうち、ユーザに通知すべき内容は、データ記録再生装置の表示部２４に表示されるか、または、モニタディスプレイ２５にＯＳＤ（Ｏｎ  Ｓｃｒｅｅｎ  Ｄｉｓｐｌａｙ）表示される。また、マイクロコンピュータブロック１７は、この装置を操作するための操作信号を与えるキー入力部２６を有する。
【００２８】
なお、マイクロコンピュータブロック１７が、ディスクドライブ部１２、ハードディスクドライブ部１３、データプロセッサ部１４、エンコーダ部１５及びデコーダ部１６等を制御するタイミングは、ＳＴＣ（Ｓｙｓｔｅｍ  Ｔｉｍｅ  Ｃｌｏｃｋ）２７からの時間データに基づいて規定することができる。記録や再生の動作は、通常、ＳＴＣ２７からのタイムクロックに同期して実行されるが、それ以外の処理はＳＴＣ２７からのタイムクロックとは独立したタイミングで実行されてもよい。
【００２９】
デコーダ部１６は、パック構造を持つＤＶＤフォーマットの信号から各パックを分離して取り出すセパレータと、パック分離及びその他の信号処理実行時に使用するメモリと、セパレータで分離された主映像データ（ビデオパックの内容）をデコードするＶデコーダと、セパレータで分離された副映像データ（副映像パックの内容）をデコードするＳＰ（Ｓｕｂ  Ｐｉｃｔｕｒｅ）デコーダと、セパレータで分離されたオーディオデータ（オーディオパックの内容）をデコードするＡ（Ａｕｄｉｏ）デコーダとを有する。また、デコードされた主映像にデコードされた副映像を適宜合成し、主映像に、メニュー、ハイライトボタン、字幕及びその他の副映像を重ねて出力するビデオプロセッサを備えている。
【００３０】
デコーダ部１６の出力ビデオ信号は、Ｖミキシング部２２に入力される。Ｖミキシング部２２では、テキストデータの合成が行なわれる。また、Ｖミキシング部２２には、ＴＶチューナ部２１またはＡ／Ｖ入力部２０からの信号を直接取り込むラインも接続されている。
【００３１】
Ｖミキシング部２２には、バッファとして用いるフレームメモリ部２８が接続されている。Ｖミキシング部２２の出力がアナログ出力の場合は、Ｉ／Ｆ（Ｉｎｔｅｒｆａｃｅ）２９を介して外部に出力され、デジタル出力の場合は、Ｄ／Ａ（デジタルアナログ変換器）３０を介して外部のモニタディスプレイ２５に出力される。
【００３２】
デコーダ部１６の出力オーディオ信号は、セレクタ２３を介してＤ／Ａ（デジタルアナログ変換器）３１でアナログ変換され外部のスピーカ３２に出力される。セレクタ２３は、マイクロコンピュータブロック１７からのセレクト信号により制御される。これによりセレクタ２３は、ＴＶチューナ部２１またはＡ／Ｖ入力部２０からのデジタル信号を直接モニタする時、エンコーダ部１５をスルーした信号を直接選択することも可能である。
【００３３】
なお、エンコーダ部１５のフォーマッタ１９では、記録中、各切り分け情報を作成し、定期的にマイクロコンピュータブロック１７のＭＰＵに送る［ＧＯＰ（Ｇｒｏｕｐ  Ｏｆ  Ｐｉｃｔｕｒｅ）先頭割り込み時等の情報］。切り分け情報としては、ＶＯＢＵ（Ｖｉｄｅｏ  Ｏｂｊｅｃｔ  Ｕｎｉｔ）のパック数、ＶＯＢＵ先頭からのＩ（Ｉｎｔｒａ）ピクチャのエンドアドレス、ＶＯＢＵの再生時間等がある。
【００３４】
同時に、アスペクト情報処理部からの情報を記録開始時にＭＰＵに送り、ＭＰＵはＶＯＢ（Ｖｉｄｅｏ  Ｏｂｊｅｃｔ）ストリーム情報ＳＴＩを作成する。ここで、ＳＴＩは、解像度データ、アスペクトデータ等を保存し、再生時、各デコーダ部ではこの情報を元に初期設定が行なわれる。
【００３５】
また、このデータ記録再生装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Ｃｏｎｔｉｇｕｏｕｓ  Ｄａｔａ  Ａｒｅａ）と称する。ＣＤＡサイズは、ＥＣＣ（エラー訂正コード）ブロック（１６セクタ）の倍数であり、ファイルシステムではこのＣＤＡ単位で記録を行なっている。
【００３６】
データプロセッサ部１４は、エンコーダ部１５のフォーマッタ１９からＶＯＢＵ単位のデータを受け取り、ＣＤＡ単位のデータをディスクドライブ部１２またはハードディスクドライブ部１３に供給している。また、マイクロコンピュータブロック１７のＭＰＵは、記録したデータを再生するために必要な管理情報を作成し、データ記録終了のコマンドを認識すると、作成した管理情報をデータプロセッサ部１４に送る。これにより、管理情報が光ディスク１１に記録される。
【００３７】
したがって、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１及びハードディスク１３ａから読み取った管理情報（ファイルシステム）を認識し、各ディスクの未記録エリアを認識し、データ上の記録エリアをデータプロセッサ部１４を介してディスクに設定している。
【００３８】
ここで、図２を使用して、リアルタイムＤＶＤの管理情報と、コンテンツであるビデオオブジェクトとの関係を簡単に説明する。
図２において、まず、ビデオオブジェクトＶＯＢについて説明する。このＶＯＢは、ディレクトリではＶＲ＿ＭＯＶＩＥ．ＶＲＯファイルと称される。ビデオファイルは階層構造となっており、１つのファイルは１つまたは複数のＶＯＢで構成され、１つのＶＯＢは１つまたは複数のビデオオブジェクトユニットＶＯＢＵで構成され、１つのＶＯＢＵは複数のパックから構成される。複数のパックとしては、ＲＤＩパック、Ｖ（ビデオ）パック、Ａ（オーディオ）パック、ＳＰ（副映像）パック等が存在する。
【００３９】
ＲＤＩパックは、ユニット制御情報パック、ナビゲーション情報パック、またはリアルタイムデータ情報パックＲＤＩ＿ＰＣＫと称される。このパックは、これが属するＶＯＢＵの最初のフィールドが再生される開始時間を示す情報、当該ＶＯＢＵの記録時を示す情報、製造者情報ＭＮＦＩ等を含んでいる。また、ディスプレイ制御情報ＤＣＩ及びコピーコントロール情報ＣＣＩを含んでいる。ディスプレイ制御情報は、アスペクト比情報、サブタイトルモード情報、フィルムカメラモード情報を示している。コピーコントロール情報は、コピー許可情報またはコピー禁止（非許可）情報を含んでいる。
【００４０】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭ、ＭＰＥＧまたはＡＣ−３等の方式で処理されたもので、パックヘッダ、パケットヘッダ、オーディオデータ部で構成される。
【００４１】
管理情報はビデオマネージャＶＭＧと称され、その中にデータ再生順序を管理するプログラムチェーンＰＧＣが定義されている。このプログラムチェーンＰＧＣには、セル（Ｃｅｌｌ）が定義されている。セル（Ｃｅｌｌ）は、再生すべき対象となるビデオオブジェクトＶＯＢに関する情報であるビデオオブジェクト情報ＶＯＢＩとリンクしている。
【００４２】
ＰＧＣの具体的情報を記録している部分がプログラムチェーン情報ＰＧＣＩである。ＰＧＣＩには２種類が存在し、１つはオリジナルＰＧＣＩ（ＯＲＧ＿ＰＧＣＩ）で、もう１つはユーザデファインドプログラムチェーン情報（ＵＤ＿ＰＧＣＩである。
【００４３】
通常、記録時にはオリジナルＰＧＣが作成される。ユーザデファインドＰＧＣＩは、それ自身のビデオオブジェクトを持たず、図２に示すように、オリジナルＰＧＣのビデオオブジェクト情報ＶＯＢＩに対してリンクしているユーザデファインドセルＵＤ＿Ｃｅｌｌを編集（削除、追加）することでプレイリストとして作成される。
【００４４】
ＶＯＢＩ内にはタイムマップＴＭＡＰが記述されており、このＴＭＡＰはＶＯＢＩに対応するＶＯＢを構成しているＶＯＢＵを指定する。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００４５】
次に、管理情報の中のプログラムチェーン情報ＰＧＣＩの階層を説明する。先に述べたように、プログラムチェーン情報には、オリジナルプログラムチェーン情報ＯＲＧ＿ＰＧＣＩとユーザデファインドプログラムチェーン情報テーブルＵＤ＿ＰＧＣＩＴとの２つのタイプがある。
【００４６】
ＯＲＧ＿ＰＧＣＩは、データ記録再生装置により、オリジナルプログラムが記録されるときに自動的に作成される管理情報であり、１ディスクに１種類が存在する。これに対し、ＵＤ＿ＰＧＣＩは、記録された複数のオリジナルプログラムの中の一部をユーザが任意に指定し、その再生順序を設定することにより作成されたプレイリストとしての管理情報である。このため、ＵＤ＿ＰＧＣＩは、複数個を設定することができる。
【００４７】
図３は、オリジナルプログラムチェーン情報ＯＲＧ＿ＰＧＣＩの階層構造を示している。オリジナルプログラムチェーン情報ＯＲＧ＿ＰＧＣＩは、プログラムチェーン一般情報ＰＧＣ＿ＧＩと、プログラム情報ＰＧＩと、セル情報サーチポインタＣＩ＿ＳＲＰと、セル情報ＣＩとを含んでいる。
【００４８】
ＰＧＣ＿ＧＩには、プログラムチェーンにより再生されるプログラムがいくつ存在するかを示すプログラム数ＰＧ＿Ｎｓ、セルサーチポインタがいくつ存在するかを示すセルサーチポインタ数ＣＩ＿ＳＲＰ＿Ｎｓが記述されている。図３の例では、プログラム情報ＰＧＩ  ＃１からＰＧＩ  ＃ｍまでが存在し、この１つ１つのＰＧＩがオリジナルタイトルであるプログラムに相当する。また、セルサーチポインタＣＩ＿ＳＲＰ  ＃１からＣＩ＿ＳＲＰ  ＃ｎが存在する。
【００４９】
プログラム情報ＰＧＩには、プログラムタイプＰＧ＿ＴＹと、このプログラムのセル数Ｃ＿Ｎｓと、このプログラムの代表画像情報ＲＥＰ＿ＰＩＣＴＩとが含まれる。代表画像情報ＲＥＰ＿ＰＩＣＴＩは、代表画像のセル番号、及びこのセルの中のピクチャポイントを記述している。
【００５０】
セルサーチポインタＣＩ＿ＳＲＰは、対応するセル情報ＣＩの記述アドレスを示している。セル情報ＣＩの記述内容を、ムービーセルの場合とスチルセルの場合とに分けて説明する。
まず、ムービーセルの場合、セル情報には、ムービーセル一般情報Ｍ＿Ｃ＿ＧＩと、ムービーセルエントリー情報Ｍ＿Ｃ＿ＥＰＩとが含まれる。ムービーセル一般情報Ｍ＿Ｃ＿ＧＩには、ムービーであるかスチルであるかを示すセルタイプＣ＿ＴＹと、このセルで特定されるＶＯＢを指し示すためのＭ＿ＶＯＢ＿ＳＲＰと、セルエントリーポイントがいくつあるかを示すセルエントリーポイント情報数Ｃ＿ＥＰＩ＿Ｎｓとが記述されている。
【００５１】
また、このセルに対応したビデオのスタートする時間を示すＣ＿Ｖ＿Ｓ＿ＰＴＭと、終了時間を示すＣ＿Ｖ＿Ｅ＿ＰＴＭとも記述される。また、上記ムービーセルエントリーポイント情報Ｍ＿Ｃ＿ＥＰＩとしては、エントリーポイントのタイプＥＰ＿ＴＹと、エントリーポイントのプレゼンテーションタイムＥＰ＿ＰＴＭとが記述されている。
【００５２】
スチルセルの場合、記述されている内容は、上記ムービーセルとほぼ同様である。ただし、スチルの場合、少なくとも１つ以上のＶＯＢを含むＶＯＢグループＶＯＧとセルとがリンクしているため、Ｓ＿ＶＯＧＩ＿ＳＲＰＮとして表わされる。また、プレゼンテーションタイムＰＴＭに代えて、このスチルセルに対応したＶＯＢグループＶＯＧの開始ＶＯＢ番号を示すＳ＿Ｓ＿ＶＯＢ＿ＥＮＴＮと、終了ＶＯＢ番号を示すＥ＿Ｓ＿ＶＯＢ＿ＥＮＴＮとが記述される。スチルセルエントリーポイント情報Ｓ＿Ｃ＿ＥＰＩにおいても、ＰＭＴに代えてスチルＶＯＢエントリー番号Ｓ＿ＶＯＢ＿ＥＮＴＮが記述される。
【００５３】
これに準じて、上記プログラムの代表画像情報ＲＥＰ＿ＰＩＣＴＩの記述においても、代表画像が存在するセルとしてムービーセルが指定された場合は、セルの中のピクチャポイントとしてＰＴＭが、スチルセルが指定された場合は、セルの中のピクチャポイントとしてスチルＶＯＢエントリー番号Ｓ＿ＶＯＢ＿ＥＮＴＮが記述される。
【００５４】
図４はユーザデファインドプログラム情報テーブルＵＤ＿ＰＧＣＩＴの階層構造を示している。ユーザデファインドプログラムチェーン情報テーブルＵＤ＿ＰＧＣＩＴには、ユーザデファインドプログラムチェーン情報テーブル情報ＵＤ＿ＰＧＣＩＴＩと、ユーザデファインドプログラムチェーン情報サーチポインタＵＤ＿ＰＧＣＩ＿ＳＲＰと、ユーザデファインドプログラムチェーン情報ＵＤ＿ＰＧＣＩとが含まれる。
【００５５】
ＵＤ＿ＰＧＣＩＴＩには、ユーザデファインドプログラムチェーン情報サーチポインタがいくつ存在するかを示すサーチポインタ数（図４には図示されていないが、ＵＤ＿ＰＧＣＩ＿ＳＲＰ＿Ｎｓと略記される）が記述されている。
ユーザデファインドプログラムチェーン情報サーチポインタＵＤ＿ＰＧＣＩ＿ＳＲＰは、対応するユーザデファインドプログラムチェーン情報ＵＤ＿ＰＧＣＩの記述アドレスを示している。図４に示した例では、ユーザデファインドプログラムチェーン情報ＵＤ＿ＰＧＣＩ  ＃１からＵＤ＿ＰＧＣＩ  ＃ｍまでが存在している。
【００５６】
なお、管理情報であるビデオマネージャＶＭＧの中では、プログラムチェーン情報とは別の場所にプレイリスト情報が記述されている。この１つ１つのプレイリスト情報の中で、当該プレイリストとリンクしているユーザデファインドプログラムチェーン情報サーチポインタＵＤ＿ＰＧＣＩ＿ＳＲＰの番号ＰＧＣＮが記述されている。このため、プログラムチェーン情報としては、１つ１つのＵＤ＿ＰＧＣＩがプレイリストに対応している。
【００５７】
このユーザデファインドプログラムチェーン情報ＵＤ＿ＰＧＣＩのフォーマットは、先に図３を使用して説明したオリジナルプログラムチェーン情報ＯＲＧ＿ＰＧＣＩとほぼ同様である。ただし、ＵＤ＿ＰＧＣＩは、オリジナルプログラムの任意の一部分を組み合わせて構成されるため、ＵＤ＿ＰＧＣＩには先に述べたプログラム情報ＰＧＩは存在しない。
【００５８】
このため、先に述べた、プログラムチェーン情報とは別の場所に記述されているプレイリスト情報の中に、プレイリストタイプＰＬ＿ＴＹと、プレイリストの代表画像情報ＲＥＰ＿ＰＩＣＴＩとが記述されている。したがって、この実施の形態では、このプレイリストタイプと、プレイリストの代表画像情報を使用することとなる。セル情報については、ＯＲＧ＿ＰＧＣＩと同様のフォーマットであるため、ここでは説明を省略する。
【００５９】
図５は、ＤＶＤ−ＶＲ（Ｖｉｄｅｏ  Ｒｅｃｏｒｄｅｒ）規格におけるエントリーポイント情報の構造を示している。エントリーポイント情報には、図５（ａ）に示すＴｙｐｅＡと図５（ｂ）に示すＴｙｐｅＢとの２つの種類がある。ＴｙｐｅＡのエントリーポイントは、エントリーポイントのタイプを示すＥＰ＿ＴＹと、エントリーポイントが指すＰＴＭが記録されているＥＰ＿ＰＴＭとで構成されている。
【００６０】
ＴｙｐｅＢのエントリーポイントは、それに加えてプライマリテキスト情報ＰＲＭ＿ＴＸＴＩがある。ＰＲＭ＿ＴＸＴＩは１２８バイトで定義されており、ファーストフィールド６４バイトとセカンドフィールド６４バイトから構成される。ファーストフィールドにはＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードをセットし、セカンドフィールドにはＶＭＧＩ＿ＭＡＴ内で指定したキャラクターセットを用いて記述しなければならない。
【００６１】
さて、図１に示す装置のブロック図に戻り、ＴＶチューナ部２１で受信される将来の放送番組を光ディスク１１あるいはＨＤＤ１３ａに記録するために、放送開始に先立って記録予約を行う手順について説明する。
記録の予約は、ユーザがキー入力部２６を操作することにより、記録しようとする番組の、例えば少なくとも放送開始日時、放送終了日時、放送チャンネル番号を入力して、入力した予約データを、光ディスク１１またはＨＤＤ１３ａに記録するか、あるいはマイクロコンピュータブロック１７に内蔵されたメモリに記憶することでなされる。その予約データは、複数の番組分、例えば８番組分の記憶（登録）することができる。
【００６２】
あるいは、テレビジョン放送が放送番組表、すなわちＥＰＧ（Ｅｌｅｃｔｒｉｃ  Ｐｒｏｇｒａｍ  Ｇｕｉｄｅ）を構成するデータを多重して伝送するものであれば、その番組表データをＴＶチューナ部２１で分離抽出して、ＧＵＩ（Ｇｒａｐｈｉｃａｌ  Ｕｓｅｒ  Ｉｎｔｅｒｆａｃｅ）形式の番組表を構築し、エンコーダ部１５、Ｖミキシング部２２、Ｄ／Ａ３０を介してモニタ２５に表示させ、ユーザがキー入力部２６を操作して表示された番組表から、記録したい番組を選択することで記録の予約を行なうことができる。この場合も予約したデータは、光ディスク１１またはＨＤＤ１３ａに記録されるか、またはマイクロコンピュータブロック１７に内蔵されたメモリに記憶される。
【００６３】
放送番組の開始時刻などを直接入力して予約する場合には、データとしては放送時刻と放送チャンネルであり、番組名が扱われることはないが、ＥＰＧを利用した記録予約では、予約データとして番組名そのものを扱うことができる。なお、ＥＰＧデータの多重伝送は、デジタル放送では標準的に実施されているがアナログ放送においても、垂直帰線期間を利用して、テレテキスト放送あるいは米国におけるクローズドキャプション放送の拡張版としてのＸＤＳ（ｅＸｔｅｎｄｅｄ  Ｄａｔａ  Ｓｅｒｖｉｃｅ）などで実施されている。
【００６４】
なお、マイクロコンピュータブロック１７のメモリに記憶された予約データは、番組の放送が終了すれば、消去されるように構成されている。
プレイリスト編集の動作のまとめを、図６のフローチャートで説明する。まず、開始（ステップＳａ１）されると、マイクロコンピュータブロック１７は、ステップＳａ２で、光ディスク１１またはＨＤＤ１３ａに記録されている複数の番組記録予約データの中からプレイリストに登録する候補とするタイトル（放送番組）の指定条件をユーザから受ける。
【００６５】
次に、マイクロコンピュータブロック１７は、ステップＳａ３で、プレイリストへの登録候補とするタイトル（放送番組）について、その登録数の上限値を設定することが要求されたか否かを判別し、要求されたと判断された場合（ＹＥＳ）、ステップＳａ４で、上限値の指定をユーザから受ける。
【００６６】
そして、ステップＳａ４の処理実行後、または、ステップＳａ３で上限値の設定が要求されないと判断された場合（ＮＯ）、マイクロコンピュータブロック１７は、ステップＳａ５で、光ディスク１１またはハードディスク１３ａに記録されている記録予約データの複数のタイトルを検索して、上記の条件に合致したタイトルを選択する。
【００６７】
その後、マイクロコンピュータブロック１７は、ステップＳａ６で、処理の終了が要求されたか否かを判別し、処理の終了を要求されない（さらに異なる条件で検索を実行することが要求された）と判断された場合（ＮＯ）、ステップＳａ７で、リセット（選択したタイトルをクリア）が要求されたとき、リセット処理を実行して、ステップＳａ２の処理に戻る。
【００６８】
また、ステップＳａ６で、処理の終了が要求されたと判断された場合（ＹＥＳ）、マイクロコンピュータブロック１７は、ステップＳａ８で、先にステップＳａ５で検索されて選択されたタイトルを、上限値が設定されている場合はその上限値を越えないようにプレイリスト登録用のタイトルとして保存（仮登録）して、処理を終了（ステップＳａ９）する。
【００６９】
以上のようにして仮登録されているプレイリスト登録候補としてのタイトルは、実際に記録媒体に記録されることで、プレイリストに登録されるように処理を行なう。
すなわち、これは、ユーザが記録予約しても予約したタイトルが記録媒体に記録されないことがあり、実際に記録されていないタイトルをプレイリストに登録することは適当ではないからである。記録予約したタイトルが記録媒体に記録されない例としては、例えばプロ野球中継等放送終了時刻が変更になって、予約したタイトルの放送開始時刻が変更になった場合とか、あるいは停電になって装置そのものが動作を停止してしまった場合等が揚げられる。
【００７０】
したがって、プレイリストの登録処理は、予約したデータに基づく記録動作を実行中に行なうものであり、図７にその動作をまとめたフローチャートを示す。まず、開始（ステップＳｂ１）されると、マイクロコンピュータブロック１７は、ステップＳｂ２で、光ディスク１１またはハードディスク１３ａに記録動作が行われているかどうかを判断する。記録中でない場合（ＮＯ）は、処理を終了（ステップＳｂ７）する。
【００７１】
次に、マイクロコンピュータブロック１７は、ステップＳｂ３で、光ディスク１１またはハードディスク１３ａへの記録動作を実行中のタイトルについて、プレイリストに仮登録されたものであるか否かを判別し、該当するタイトルと判断された場合（ＹＥＳ）、ステップＳｂ４で、プレイリストを検索する。ステップＳｂ３で仮登録されたタイトルではないと判断された場合（ＮＯ）は、処理を終了（ステップＳｂ７）する。
【００７２】
次いで、ステップＳｂ５において、ステップＳｂ４で検索したプレイリストに上限値が設定されているか否かの判別がなされ、上限値が設定されている場合はその上限値を越えないように、記録中のタイトルをプレイリストへ登録してプレイリストの更新を行い、処理を終了（ステップＳｂ７）する。
【００７３】
ここで、プレイリストに登録するタイトルの条件としては、例えば、タイトルを記録した日時、曜日、記録開始時刻、受信チャンネルなどをの項目に基づいて適宜に設定することができる。例えば、毎週同時刻に記録を行なったタイトル（例えば連続ドラマ等）を、プレイリストに登録するタイトルとして自動的に選択するように設定することが可能となり、プレイリスト編集の作業を容易化することができるものである。
【００７４】
また、直接番組のタイトル名が得られる場合には、このタイトル名を選択の条件とすることができる。この番組のタイトル名としては、前述したテレビジョン放送に多重伝送されるＥＰＧから得たものの他、ユーザが直接入力したものであってもよい。
【００７５】
さらに、ＣＳ（Ｃｏｍｍｕｎｉｃａｔｉｏｎ  Ｓａｔｅｌｌｉｔｅ）放送のように専門チャンネルがある場合には、チャンネル情報を条件にしてもよい。この条件によれば、同じチャンネルで受信したタイトルを検索することができる。また、他のメディアからのコピー時（ＤＶＤ−ＲＡＭからハードディスク等）に得られた情報等も条件にすることができる。さらに、ユーザが任意に設定した情報を条件にすることも可能である。
【００７６】
このように、プレイリストに登録するタイトルの条件付け処理は、図６に示すプレイリストの仮登録処理に組み込ませるのが適当であるが、実際に登録を行なう図７に示す処理に組み込んでもよい。
図８は、プレイリストとして登録するタイトル数に上限値を設けた場合のプレイリスト編集動作を説明している。図８（ａ）において、プレイリスト編集の対象として選択するタイトルの数に上限値「４」が設定されている場合に、処理１に示すように、条件に合致する６つのタイトルが検索されたとする。
【００７７】
すると、マイクロコンピュータブロック１７は、処理２に示すように、時間的に最も早く放送が行なわれるタイトル１を先頭にして、例えば放送される時間順に４つのタイトル１〜４をプレイリストに登録し、それ以外のタイトル５，６をプレイリストの対象から外すように制御する。
【００７８】
例えば、毎週同時刻に記録される連続番組等は、１クール毎に番組が変更されるため、その番組が記録されているタイトル数を設定することによって、次クールにて記録された番組まで同じプレイリストに登録されることを防止することができる。
【００７９】
また、図８（ｂ）において、プレイリストに登録する対象として選択するタイトルの数に上限値「５」が設定されている場合に、処理１に示すように、条件に合致する４つのタイトルが存在するとする。この場合、４つのタイトル１〜４を全てプレイリストに登録することもできるが、ユーザがプレイリスト再生時に最初に再生するタイトルを選択することもできる。
【００８０】
図８（ｂ）の処理１では、記録予約された４つのタイトル１〜４のうち、プレイリスト再生時に最初に再生するタイトルとして、時間的に２番目に放送されるタイトル２を選択した状態を示している。
この場合、マイクロコンピュータブロック１７は、処理２に示すように、選択されたタイトル２を先頭にして、例えば放送時刻の順に３つのタイトル２〜４をプレイリストに登録するように制御する。つまり、条件に合致していてもタイトル１は登録しないように制御される。
【００８１】
このように、記録予約された複数のタイトルのうち、プレイリスト再生時に最初に再生するタイトルをユーザが任意に選択できるようにすることにより、ユーザにとってプレイリストをより実用的なものとすることが可能となる。
以上説明したように、本発明のデータ記録再生装置は、記録予約データとして記憶された複数のタイトルの中から所定の条件を満足するタイトルをプレイリスト登録候補として選定し、その候補が実際に登録されたことで、プレイリストに登録するようにしたので、プレイリストを編集するのに、記録媒体の記録されたタイトルを再生して確認する手間が省けて、取り扱いが向上するものである。
【００８２】
なお、この発明は上記した実施の形態に限定されるものではなく、この外その要旨を逸脱しない範囲で種々変形して実施することができる。
【００８３】
【発明の効果】
以上詳述したようにこの発明によれば、将来の放送番組の記録を実行すべく、前もって記録動作を予約した複数のタイトルの中から所定の条件を満たすタイトルを選択してそのタイトルの記録中に自動的にプレイリストに登録するようにしたので、記録媒体に記録した後で、プレイリストを編集する手間が不要になり、プレイリストを生成するための作業を容易化し、実用的でユーザにとっての取り扱いを便利にし得るデータ記録再生装置及びデータ記録方法を提供することができる。
【図面の簡単な説明】
【図１】この発明の実施の形態を示すもので、データ記録再生装置を説明するために示すブロック構成図。
【図２】同実施の形態におけるリアルタイムＤＶＤの管理情報とコンテンツであるビデオオブジェクトとの関係を説明するために示す図。
【図３】同実施の形態におけるオリジナルプログラムチェーン情報の階層構造を説明するために示す図。
【図４】同実施の形態におけるユーザデファインドプログラム情報テーブルの階層構造を説明するために示す図。
【図５】同実施の形態におけるＤＶＤ−ＶＲ規格のエントリーポイント情報の構造を説明するために示す図。
【図６】同実施の形態におけるプレイリスト編集の動作を説明するために示すフローチャート。
【図７】同実施の形態におけるプレイリスト編集の動作を説明するために示すフローチャート。
【図８】同実施の形態におけるタイトル数に上限値を設けた場合のプレイリスト編集動作を説明するために示す図。
【符号の説明】
１１…光ディスク、１２…ディスクドライブ部、１３…ハードディスクドライブ部、１４…データプロセッサ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナ部、２２…Ｖミキシング部、２３…セレクタ、２４…表示部、２５…モニタディスプレイ、２６…キー入力部、２７…ＳＴＣ、２８…フレームメモリ部、２９…Ｉ／Ｆ、３０，３１…デジタルアナログ変換器、３２…スピーカ。
【図１】
2005025834.tif 000003
【図２】
2005025834.tif 000004
【図３】
2005025834.tif 000005
【図４】
2005025834.tif 000006
【図５】
2005025834.tif 000007
【図６】
2005025834.tif 000008
【図７】
2005025834.tif 000009
【図８】
2005025834.tif 000010